(57)【特許請求の範囲】
【請求項１】
映像を記録するパラメータを変化させることにより、装置に録画できる記憶容量当たりの記録時間を変更可能な監視装置において、所望の録画時間を指定することにより画質と記録間隔と少なくとも垂直解像度をその時点での映像記憶可能な容量に基づいて自動的に計算し、使用者の判断により前記計算された解像度と画質と記録間隔の内少なくともひとつを変更すると、該変更された録画パラメータ以外の録画パラメータが再計算され、使用者が設定実行の判断をした場合に、指定した録画時間分の録画を実現することを特徴とする監視録画装置。
【請求項２】
請求項１において、指定した録画時間の録画を実現できる範囲に於いて、前記自動的に計算された解像度と画質と記録間隔を使用者の判断により調整する際、画質を調整する場合には記録間隔の設定を伴って変更し、記録間隔を調整する場合には解像度の設定を伴って変更することを特徴とする監視録画装置。
【請求項３】
請求項１において、自動的に計算される解像度と画質と記録間隔を以前に使用者が調整した内容を記憶し、この記憶内容を優先して、解像度と画質と記録間隔の計算を行うことを特徴とする監視録画装置。
【請求項４】
請求項１において、記録可能時間が変化するような機能が働く可能性がある場合、記録可能時間の変化に伴って前記計算された解像度と画質と記録間隔も変更することを警告することを特徴とする監視録画装置。
【請求項５】
映像を記録するパラメータを変化させることにより、装置に録画できる記憶容量当たりの記録時間を変更可能な監視装置において、所望の録画時間を指定することにより画質と記録間隔と少なくとも垂直解像度をその時点での映像記憶可能な容量に基づいて自動的に計算し、使用者の判断により前記計算された解像度と画質と記録間隔の内少なくともひとつを変更すると、該変更された録画パラメータ以外の録画パラメータが再計算され、指定した録画時間分の録画を実現することを特徴とする監視録画装置の録画パラメータの設定方法。
【請求項６】
請求項５において、指定した録画時間の録画を実現できる範囲に於いて、前記自動的に計算された解像度と画質と記録間隔を使用者の判断により調整する際、画質を調整する場合には記録間隔の設定を伴って変更し、記録間隔を調整する場合には解像度の設定を伴って変更することを特徴とする監視録画装置の録画パラメータの設定方法。
【請求項７】
請求項５において、自動的に計算される解像度と画質と記録間隔を以前に使用者が調整した内容を記憶し、この記憶内容を優先して、解像度と画質と記録間隔の計算を行うことを特徴とする監視録画装置の録画パラメータの設定方法。
【請求項８】
請求項５において、記録可能時間が変化するような機能が働く可能性がある場合、それに伴って前記計算された解像度と画質と記録間隔も変更することを警告することを特徴とする監視録画装置の録画パラメータの設定方法。
【発明の詳細な説明】
【０００１】
【発明の属する技術分野】
本発明は、映像を記録するパラメータを可変することより、装置に録画できる時間を変更可能な監視録画装置において、前述の映像を記録するパラメータを設定する方式に関する。
【０００２】
【従来の技術】
映像を記録するパラメータを可変することにより、装置に録画できる時間を変更可能な監視録画装置の従来例として、タイムラプスＶＴＲがある。タイムラプスＶＴＲでは、録画時間はモードを選択することで変更することができる。モードは例えば、０２時間モード、１２時間モード、２４時間モード、４８時間モード、７２時間モード、１２０時間モード、１６８時間モード、２４０時間モード、３６０時間モード、４８０時間モード、６００時間モード、７２０時間モードなどの選択が可能である。タイムラプスＶＴＲでは、モードを選択することにより映像録画間隔が決定され、例えば０２時間モードでは０．０１７秒、１２時間モードでは０．１２秒、２４時間モードでは０．２２秒となる。したがって、タイムラプスＶＴＲをの場合、使用者は録画したい時間を時間単位で計算し、これよりも大きいモードを選択すれば、録画したい時間を記録することができる。具体的には、４日間の記録を行いたい場合には、４日×２４時間＝９６時間となり、これよりも大きいモード（例えば１２０時間モード）を選択すれば良い。このときに、タイムラプスＶＴＲでは、時間モードと映像録画間隔が一意的に決定されるので、１２０時間モードであれば、映像録画間隔は１．１秒に固定されてしまう。この結果、タイムラプスＶＴＲでは録画したい時間の設定は比較的容易であるが、時間モードを決定すると映像録画間隔も固定されてしまい、逆に一定以下の映像録画間隔が必要であってもこれを両立されることはできなくなり、設定に柔軟性がない。
【０００３】
これに対して、ディジタル方式の映像記録装置では、映像録画時間を選択する録画パラメータを複数設定可能としているものが一般的である。
【０００４】
従来のディジタル映像記録装置の一例では、画素数、画質、録画間隔の３つの録画パラメータを用意している。画素数とはディジタル方式で画像を取り込む場合の画面のサイズを指定するもので、例えば７２０（横）×４８０（縦）、７２０（横）×２４０（縦）などが選択できる。録画する画素数は取り込んだ映像のデータ量に比例し、７２０×２４０は７２０×４８０に比べてデータ量は半分になり、他の録画パラメータが同じ場合には、２倍の映像録画時間となる。しかし、録画映像を再生した場合には原画像の解像度が異なるため、画素数が少ない場合の録画映像は、再生した場合の鮮明度は低くなる。画質とは、ディジタル方式では通常取り込んだ映像をＪＰＥＧなどの画像圧縮アルゴリズムにより原画像に対して圧縮して保存する場合の圧縮率を決定する録画パラメータで、例えば高画質、中画質、低画質などが選択できる。画質を低く設定すると、圧縮率があがるため原画像の大きさが同じであっても録画されるデータ量は減少し、結果として映像録画時間を長くすることができる。しかし、画質を下げると上述のように圧縮率が上がり、再生時の画像は圧縮により特に高周波成分が失われ鮮明度が低下し、またディジタル画像圧縮独特の（ブロック）歪みが生じる。録画間隔は、タイムラプスＶＴＲの録画モードと同じ概念の録画パラメータであり、映像を取り込む間隔を決定する。ディジタル方式では、例えば上述のように複数の録画パラメータの組み合わせにより、映像録画時間を選択することができ、必要な録画時間を満足する設定の組み合わせが複数存在する。タイムラプスＶＴＲと同様に４日間の録画を行う場合には、例えば２．６Ｇの容量を持ったＤＶＤ−ＲＡＭに記録を行うが、再生時の映像の鮮明度を優先する場合には、画素数を７２０×２４０、画質を高画質とすれば、記録間隔は１５秒となる。逆に記録間隔を優先する場合には、画素数を３６０×２４０、画質を低画質とすれば、記録間隔は３秒となる。
【０００５】
このように、ディジタル方式では録画パラメータの設定が柔軟に行うことができるために、タイムラプスＶＴＲに見られた映像録画時間と録画間隔の問題を解決することができる。この反面、映像録画時間を直接指定することは困難になってしまう。つまり、必要な映像録画時間を満たすためには３つの録画パラメータに対して、どのように設定をするかどうかを判断するためには、３つの録画パラメータの３次元の表のようなものが必要となり、タイムラプスＶＴＲのように容易な設定ができない。
【０００６】
【発明が解決しようとする課題】
従来の監視録画装置においては、前述のごとく録画パラメータを複数持たせた場合には、必要な映像録画時間を確保するための設定が困難であるという問題点がある。
【０００７】
【課題を解決するための手段】
本発明は、前述の課題を解決するために、映像録画時間を使用者が指定可能な入力手段と指定した映像録画時間と記録可能な残容量の関係を満足する録画パラメータを算出する手段を設けたものである。
【０００８】
【発明の実施の形態】
本発明の監視録画装置は、基本的に図５に示すブロック図で表されるシステム上に構築される。５０１はＣＰＵ、５０２はメモリ、５０３は画像認識部、５０４は監視カメラ等からの入力映像、５０５はビデオインターフェース、５０６は記憶装置、５０７はフレームバッファ、５０８はモニタ、５０９は入力装置、５１０はバス、５１１は画像信号出力端子である。メモリ５０２、画像認識部５０３、ビデオインターフェース５０５、記憶装置５０６、フレームバッファ５０７、モニタ５０８及び、入力装置５０９はバス５１０を通してＣＰＵ５０１に接続されている。前記ビデオインターフェース５０５には更に画像入力と画像信号出力端子５１１が接続されている。図５において、ＣＰＵ５０１他、各構成要素は、バス５１０が接続している他の構成要素と信号を送受し合い、該各構成要素は前記ＣＰＵ５０１からのアクセス信号により制御される。また、前記ＣＰＵ５０１への指示はオペレータが入力装置５０９によって行う。ビデオインターフェース５０５は、入力映像５０４から送られてきた動画像をこの監視録画装置で扱うフォーマットに変換し、画像認識部５０３及びメモリ５０２並びに記憶装置５０６に送る。また、前記ビデオインターフェース５０５は、バス５１０を介して記憶装置５０６から出力される信号情報を画像出力端子５１１を介して出力する。前記画像認識部５０３は送られてきた動画像から進入物体があるか否かを検出する。前記メモリ５０２は、前記ＣＰＵ５０１の各種制御プログラムを記憶する。前記ＣＰＵ５０１は、進入物体が検出された日時と該画像データを記憶装置５０６に格納する。また、記憶装置５０６としては磁気記憶装置のみではなく、他の記憶媒体、例えばＤＶＤ記憶装置を用いたりあるいはネットワークを介したリモートファイルを用いたり、これら１つではなく、複数を組合わせて用いてもよい。また、これら記憶装置に記憶される映像情報が格納時には圧縮され、出力時には伸張されて処理されることもある。
【０００９】
ここで、本発明の監視録画装置の動作について説明する。
図１は、本発明の一実施例のフローチャートである。同図に示すとおり、モニタ５０８上に設定画面を表示１０１し、目標時間を入力１０２し、目標時間を満たすパラメータの計算を行う１０３、この結果が表示される１０４、次に設定実行が判定さ１０４れ、録画パラメータが変更される１０６。本発明では、使用者に必要とする録画時間を指定するために、例えば図３に示すような対話的に設定可能な表示を画面上に行う。図３はモニタ５０８の表示画面である。このとき、「解像度」３０１、「画質」３０２、「記録間隔」３０３には現在の設定を表示し、これに基づいた「記録可能時間」３０４も表示する。
【００１０】
このとき、記録可能時間は、以下により算出される。記録映像の大きさは、「解像度」３０１、「画質」３０２の設定値で決定される。したがって、前述の従来例に示すように「解像度」３０１が７２０×４８０、７２０×２４０の２種、「画質」３０２が高画質、中画質、低画質の３種の場合には、その組み合わせにより計６通りの大きさとなり、これをＸバイトとする。また、記録媒体の総記録容量をＹバイトとし、「記録間隔」３０３をＳ秒とすれば、記録可能時間Ｔは、Ｔ＝Ｓ×Ｙ／Ｘ（秒）となる。但し、記録媒体に既に映像が記録されている場合には、この記録媒体の空いている記録可能領域の容量をＹとして採用する。
【００１１】
ここで、使用者は画面上にある「録画目標時間」３０５に必要な録画時間を入力する。目標時間が入力されるとこの目標時間を満足するための録画パラメータの計算を行う。この計算は、上述の式から  Ｔ＞＝Ｓ×Ｙ／ＸとなるＳとＹの組み合わせを選択することになる。例えば、現在選択している「解像度」３０１と「画質」３０２を優先と考えると、Ｘは決定するので、［録画間隔］Ｓ＜＝Ｔ×Ｘ／ＹとなるＳを選択する。こうして選択した「解像度」３０１、「画質」３０２、「記録間隔」３０３は図３に表示され、この組み合わせにより計算された記録可能時間も更新されて表示する。
【００１２】
使用者がこの記録期間で設定の実行を行うと判断した場合には、指定した録画パラメータの設定を行う。
【００１３】
更に、この設定時に、記録可能時間が変化するような機能が働く可能性がある場合には、図４に示すようにこれらの設定も変更することを使用者に警告し、この設定も変更する。図４はモニタ５０８の表示画面である。図４の例では、アラーム４０１とタイマー録画４０２をＯＦＦに設定ことが使用者に警告されている。このアラームとは、図示しない外部のセンサーなどが稼動した場合に通常の録画と異なる録画パラメータで録画を行う機能であり、この機能が働いた場合には、使用者が必要とする記録時間を満足することができない可能性が生じるために、ＯＦＦにすることを警告している。
【００１４】
図２は、更に使用者が図１の実施例において自動的に選択された録画パラメータを調整する場合のフローチャートを示す。同図において、２０１は録画パラメータの変更、２０２は変更された録画パラメータ以外の録画パラメータの調整、２０３は録画可能時間の表示を示す。自動的に選択された録画パラメータに対し、使用者の判断で特定の録画パラメータの変更を行う場合には、例えば図３の「録画目標時間」３０５の入力状態から下部の「解像度」３０１、「画質」３０２、「記録間隔」３０３に入力項目を移動し、変更したい特定の録画パラメータを変更する。
【００１５】
これに従って、本装置は、録画パラメータの再計算を行い、変更された録画パラメータ以外の録画パラメータを変更して、「録画目標時間」３０５を満足する別の録画パラメータの組み合わせを再表示する。この場合に、「画質」３０２が変更された場合には、再生時の画像の鮮明度を要求しているものとして、「記録間隔」３０３の設定を変更する。逆に「記録間隔」３０３が変更された場合には、これを優先し、「解像度」３０１の設定を変更する。更に、図２の例のごとく使用者が特定の録画パラメータを変更した場合には、変更したパラメータを記憶し、以後この機能を実行した場合にはこのパラメータを優先にし、録画パラメータの計算を行うことで、自動的に求める録画パラメータを使用者の要求に合ったものとすることもできる。
【００１６】
【発明の効果】
従来の監視録画装置においては、従来の監視録画装置においては、前述のごとく録画パラメータを複数持たせた場合には、必要な映像録画時間を確保するための設定が困難であるという問題点を解決し、複数の録画パラメータを容易に設定可能とし、ディジタル監視録画装置の柔軟な録画能力を有効に活用することができる。
【図面の簡単な説明】
【図１】本発明の実施方法の一例を示すフローチャート。
【図２】本発明の実施方法の一例を示すフローチャート。
【図３】本発明の画面表示の一例を示す説明図。
【図４】本発明の画面表示の一例を示す説明図。
【図５】本発明の監視録画装置の構成の一実施例を示すブロック図。
【符号の説明】
５０１：ＣＰＵ，５０２：メモリ，５０３：画像認識部，５０４：入力映像，５０５：ビデオインターフェース，５０６：記憶装置，５０７フレームバッファ，５０８：モニタ，５０９：入力装置，５１０：バス
【図１】
0004281980.tif 000002
【図２】
0004281980.tif 000003
【図３】
0004281980.tif 000004
【図４】
0004281980.tif 000005
【図５】
0004281980.tif 000006